(57)【要約】【課題】製造コストの低減化を図るとともに、前面カバーに対する引き上げ力の調整を容易に行える照明器具を提供する。【解決手段】照明器具１０は、前面カバー１２を器具本体１１に取り付けるバネ部材２１がバネ反力調整部材である取付金具２０を介して支持されている。取付金具２０は、器具本体１１に対する位置を変更可能となっている。【選択図】図１
2008186610.tif 000002
【特許請求の範囲】
【請求項１】
前面パネルと、
前記前面パネルを保持するバネ部材とを備える照明器具において、
前記バネ部材のバネの反力を調整するバネ反力調整部材を設けたことを特徴する照明器具。
【請求項２】
前記バネ反力調整部材は、器具本体に対して上下方向に移動する取付金具であることを特徴とする請求項１に記載の照明器具。
【請求項３】
前記バネ反力調整部材は、前記バネ部材の拡開幅を規制するバネ保持部の規制幅を調整可能な取付金具であることを特徴とする請求項１に記載の照明器具。
【発明の詳細な説明】
【技術分野】
【０００１】
本発明は、光源の前方に取り付けられた前面パネルが器具本体に対して着脱可能な照明器具に関するものである。
【背景技術】
【０００２】
従来の照明器具は、光源である蛍光灯を収容する器具本体と、光源の前方を覆う前面カバーとを有している。
前面カバーは、支持機構を介して器具本体に取り付けられ、かつ、器具本体に対して着脱可能となっている（例えば特許文献１参照）。
【０００３】
支持機構は、器具本体の内壁に固定された金属製の支持台と、前面カバーを支持台から吊り下げるためのバネ部材とを有している。
支持台は、水平壁および垂直壁を備える断面略Ｌ字形状とされ、垂直壁が器具本体の内面に固定されている。水平壁には、左右に対向する一対の摺接孔が設けられている。
一方、バネ部材は、線材が巻回されたリング部から一対の腕部が拡開するように延在する略Ｖ字状に形成されている。腕部の先端部は、それぞれ折り曲げられて停止が形成されている。
【０００４】
このような照明器具は、バネ部材の腕部が近接するようにリング部に外力を加えながら、リング部が水平壁よりも下方になるように、バネ部材の腕部をそれぞれ支持台の摺接孔に係止させると、腕部を初期位置まで拡開させて戻そうとするリング部の弾性力により、腕部が摺接孔を強圧し、その結果としてリング部が上方に引き上げられ、これにより前面カバーの枠体が器具本体の下面に当接した状態で支持される。
【０００５】
また、照明器具は、前面カバーを下方に引き下げると、腕部を近接させながらバネ部材が下方に引き下げられ、停止部が支持台の上面に係止されて前面カバーの下降が規制、これにより前面カバーが落下することはない。
【特許文献１】特開昭５６−２２００１号公報（第４図）
【発明の開示】
【発明が解決しようとする課題】
【０００６】
しかしながら、前述した特許文献１の照明器具は、前面カバーの重量や寸法等に対応して、線径や寸法等が異なる複数種類のバネ部材が選択的に用いられているため、あらかじめ用意しておくバネ部材の種類が多数化し、これにより製造コストが高くなるという問題があった。
【０００７】
また、特許文献１の照明器具は、器具本体に対する引き上げ力を変更する場合、バネ部材を交換する必要があるが、交換するバネ部材が既存の支持台に合致しない場合には交換を行えず、引き上げ力を変更できないという問題があった。
【０００８】
本発明は、従来の問題を解決するためになされたもので、製造コストを低減できるとともに、容易に引き上げ力を変更できる照明器具を提供することを目的とする。
【課題を解決するための手段】
【０００９】
本発明の照明器具は、前面パネルと、前記前面パネルを保持するバネ部材とを備える照明器具において、前記バネ部材のバネの反力を調整するバネ反力調整部材を設けたことを特徴としている。
【００１０】
このような本発明においては、バネ反力調整部材によりバネの反力を調整できるため、あらかじめ複数種類のバネ部材を用意しておく必要性が解消されることになる。
【００１１】
また、本発明の照明器具は、前記バネ反力調整部材は、器具本体に対して上下方向に移動する取付金具であることを特徴としている。
【００１２】
このような本発明においては、バネ反力調整部材が器具本体に対して上下方向に移動するため、バネ部材を係止する位置を変更できることになり、これによりバネ反力を調整できることとなる。
【００１３】
さらに、本発明の照明器具は、前記バネ反力調整部材は、前記バネ部材の拡開幅を規制するバネ保持部の規制幅を調整可能な取付金具であることを特徴としている。
【００１４】
このような本発明においては、バネ保持部の規制幅を調整可能であるため、これによってもバネ反力の調整を容易に行えることになる。
【発明の効果】
【００１５】
本発明は、前面カバーを器具本体に取り付けるためのバネ部材の支持位置をバネ反力調整部材によって変えることができるため、複数種類の照明器具に対して単一のバネ部材を共通して採用でき、これにより製造コストを低減でき、かつ、バネ反力調整部材によってバネ部材の係止位置を変更できるため、容易に引き上げ力の調整を行えるという効果を有する照明器具を提供できるものである。
【発明を実施するための最良の形態】
【００１６】
（第１実施形態）
以下、本発明に係る第１実施形態について、図面を用いて説明する。
図１（Ａ）は本発明に係る第１実施形態の照明器具のバネ反力調整部材の正面図、図１（Ｂ）は図１（Ａ）中Ｂ方向から見た側面図、図２（Ａ）は取付金具の正面図、図２（Ｂ）は図２（Ａ）中Ｂ方向から見た側面図、図２（Ｃ）は平面図である。
【００１７】
図１に示すように、照明器具１０は、例えば蛍光灯等の光源（図示せず）を収容する器具本体１１と、光源の前方を覆う前面カバー１２と、器具本体１１に対して前面カバー１２を着脱可能に取り付けるためのバネ部材２１とを備えている。
【００１８】
バネ部材２１は、線材が巻回されたリング部２１ａから一対の腕部２１ｂ、２１ｂが拡開するように延在する略Ｖ字状に形成されている。腕部２１ｂ、２１ｂの先端部は、それぞれ折り曲げられて停止部２１ｃ、２１ｃが形成されている。
このバネ部材２１は、本発明に基づくバネ反力調整部材である取付金具２０を介して器具本体１１に支持されている。
【００１９】
図２にも示すように、取付金具２０は、垂直壁２３および水平壁２４を備える断面略Ｌ字形状とされ、垂直壁２３が器具本体１１を構成する内壁１３の内面１３ａに固定されている。
垂直壁２３は、上下方向に複数本（ここでは、例えば２本）の垂直溝２５ａが形成されているとともに、各垂直溝２５ａから水平に複数本（ここでは、例えば３本）の水平溝２５ｂが形成されている。垂直溝２５ａおよび水平溝２５ｂは、取付金具２０を器具本体１１に固定するための固定ネジ２６のネジ軸部が通過できる幅を有している。
水平壁２４は、略コ字状の切欠２２ａ、２２ａが向かい合う平面略Ｃ字状とされている。
【００２０】
図１に戻って、バネ部材２１は、リング部２１ａを中心として腕部２１ｂ、２１ｂを互いに近接させるような外力に対して、腕部２１ｂ、２１ｂが初期位置に復帰するまで拡開する方向（図１（Ａ）中矢印Ａ方向）に弾性力が発生する。
このようなバネ部材２１は、腕部２１ｂ、２１ｂが互いに近接するようにリング部２１ａに外力が加えられながら、リング部２１ａが水平壁２４よりも下方になるように、腕部２１ｂ、２１をそれぞれ水平壁２４の切欠２２ａ、２２ａに摺接させながら係止される。
【００２１】
なお、バネ部材２１のリング部２１ａに引き下げ力が作用しても、腕部２１ｂの先端の停止部２１ｃが取付金具２０の係止部２２ａに引っ掛かるので、バネ部材２１が取付金具２０から脱落することはない。
また、前面カバー１２は、その内側に略Ｊ字状に形成されたバネ取付金具１４が先端部を下方に向けて取り付けられている。そして、前面カバー１２は、バネ取付金具１４の先端をバネ部材２１のリング部２１ａに係止させることにより、器具本体１１に接続される。
【００２２】
前面カバー１２を天井等に固定された器具本体１１に取り付けるにあたっては、器具本体１１と前面カバー１２との相対位置が適切となるように、固定ネジ２６に対して複数の水平溝２５ｂのうちのいずれかを選択することにより、器具本体１１に対する取付金具２２の高さを設定する。
ここで、バネ部材２１によるバネ反力（前面カバー１２に対する引き上げ力）を大きくする場合には、取付金具２２を器具本体１１に対して下方に取り付ける。一方、バネ反力を弱くする場合には、取付金具２２を器具本体１１に対して上方に取り付ける。
【００２３】
次いで、前面カバー１２にバネ取付金具１４を介して接続されたバネ部材２１の腕部２１ｂ、２１ｂを互いに近接させ、これらの腕部２１ｂ、２１ｂを係止部２２ａ、２２ａに係止させる。
最後に、前面カバー１２を押し上げると、腕部２１ｂ、２１ｂが初期位置に復帰するまで生ずる弾性力により取付金具２０に対して自己上昇するバネ部材２１に追従して前面カバー１２が器具本体１１に当接するまで上昇し、所定位置に配置される。
【００２４】
以上のような照明器具１０は、あらかじめ締結された固定ネジ２６を一時的に緩めてから、固定ネジ２６が垂直溝２５ａに位置するように取付金具２０を右方に移動させ（図２（Ａ）中、二点鎖線参照）、次いで取付金具２０を上下方向へ移動させてから所望の水平溝２５ｂに対応する位置で取付金具２０を左方に移動させ、該当する水平溝２５ｂの突き当たりにネジ軸部が当接した状態で固定ネジ２６を締結することにより、取付金具２０の上下位置を変更できる。このような取付金具２０は、上下に配列された水平溝２５ｂの数だけ、固定位置を選択可能となっている。
なお、図１および図２（Ａ）では、器具本体１１に対して取付金具２０を最も下方に固定した状態が示されている。
【００２５】
以上、説明した照明器具１０によれば、前面カバー１２を器具本体１１に取り付けるためのバネ部材２１の支持位置をバネ反力調整部材である取付金具２０により変更できるため、重量や寸法等が異なる他の前面カバーを器具本体１１に取り付けるにあたって、線径や寸法等が異なる他のバネ部材を用いる必要がなく、従来のように、あらかじめ用意しておくバネ部材の種類が多数化して製造コストが高くなるという問題を解消できる。
【００２６】
また、前述した照明器具１０によれば、使用状況や経時変化に伴って前面カバー１２を引き上げるためのバネ反力を調整する場合にも容易に対応できる。
【００２７】
（第２実施形態）
次に、本発明に係る第２実施形態について、図面を用いて説明する。
図３（Ａ）は本発明に係る第２実施形態の照明器具のバネ反力調整部材の正面図、図３（Ｂ）は平面図、図３（Ｃ）は側面図である。
なお、前述した第１実施形態と共通する部位には、同じ符号を付して、重複する説明を省略することとする。
【００２８】
図３に示すように、第２実施形態の照明器具１０Ｂは、バネ反力調整部材である取付金具３１は、バネ部材２１の腕部２１ｂ、２１ｂを係止するために設けられた一対の係止部３２ａ、３２ａの間隔が調整可能となっている。
取付金具３１は、垂直壁３１ａおよび水平壁３１ｂを備える断面略Ｌ字形状とされ、垂直壁３１ａが器具本体を構成する内壁に固定される。
【００２９】
水平壁３１ｂ、３１ｂは、垂直壁３１ａの下端の左右両端部にそれぞれ設けられていて、ネジ穴（図示省略）を有している。これらの水平部３１ｂ、３１ｂは、それぞれ水平部３１ｂと略同じ幅の板材であるバネ部材係止板３２が積層されている。バネ部材係止板３２の内側端部にはバネ部材２１を係止する係止部３２ａが設けられており、係止部３２ａは互いに対向することになる。また、両バネ部材係止板３２には、長孔のネジ穴３４ａが設けられており、ネジ３４を緩めた状態で互いに接近・離反可能となっている。
【００３０】
従って、図３（Ｂ）に示すように、ネジ３４を緩めることにより、両係止部３２ａ、３２ａの間隔を調整することが可能となり、間隔調整後、ネジ３４を締め付けて両バネ部材係止板３２、３２を固定する。
すなわち、一対のバネ部材係止板３２、３２を接近させることにより係止部３２ａの間隔を狭めて、バネ力（引き上げ力）を弱くすることができる。一方、一対のバネ部材係止板３２、３２を離すことにより係止部３２ａの間隔を広げて、バネ力（引き上げ力）を強くすることができる。
【００３１】
このように、前面カバー１２を器具本体１１に取り付けるバネ部材２１の係止部３２ａの間隔を調整することにより、バネ部材２１のバネ反力を変更できるため、重量や寸法等が異なる他の前面カバーを器具本体に取り付けるにあたって、線径や寸法等が異なる他のバネ部材を用いる必要がないとともに、使用状況や経時変化に伴って前面カバーを引き上げるためのバネ反力を調整する場合にも容易に対応できる。
【００３２】
なお、前述した第１実施形態においては取付金具を上下移動させることによりバネ反力を調整可能な構造のみを示し、第２実施形態においてはバネ部材を係止する係止部の間隔を変更可能な構造のみを示したが、取付金具を上下移動させる構造と係止部の間隔を変更可能な構造とが併用された構造も本発明に含まれる。
【産業上の利用可能性】
【００３３】
以上のように、本発明の照明器具は、前面カバーに対するバネ部材のバネ反力を変更できるため、重量や寸法等が異なる他の前面カバーを器具本体に取り付けるにあたって、線径や寸法等が異なる他のバネ部材を用いる必要がないとともに、使用状況や経時変化に伴って前面カバーを引き上げるためのバネ反力を調整する場合にも容易に対応できるという効果を有し、器具本体の前方に前面カバーを着脱可能に取り付ける照明器具等として有用である。
【図面の簡単な説明】
【００３４】
【図１】（Ａ）は本発明に係る第１実施形態の正面図、（Ｂ）は図１（Ａ）中Ｂ方向から見た端面図である。
【図２】（Ａ）は取付金具の正面図、（Ｂ）は図２（Ａ）中Ｂ方向から見た取付金具の側面図、（Ｃ）は取付金具の平面図である。
【図３】（Ａ）は本発明に係る第２実施形態の正面図、（Ｂ）はバネ反力調整部材の平面図、（Ｃ）はバネ反力調整部材の側面図である。
【符号の説明】
【００３５】
１０  照明器具
１２  前面カバー
２１  バネ部材
２０、３０  取付金具（バネ反力調整部材）
【図１】
2008186610.tif 000003
【図２】
2008186610.tif 000004
【図３】
2008186610.tif 000005